Podtech/llm-jp-corpus-v4-ja_patent huggingface dataset:
(57)【要約】【課題】洗濯バサミ式の物干しハンガーは一枚一枚挟んで干しており、乾いた際にも一枚一枚取り外しているのが現状である。本発明は、１回の動作で一括で洗濯物を取り外す使い勝手の良い方法を提供する。【解決手段】洗濯ばさみの摘まむ側の両端に紐を取り付け、移動体の穴を通してハンガー本体に取り付けてぶら下げる。洗濯物を干す際は紐でぶら下がっており操作性を損なうことなく干せ、取り外す際はテコを利用したレバーまたは手で移動体を下げて一括で全部の洗濯バサミを解放して洗濯物をはずす。【選択図】図１
2014136069.tif 000002
【特許請求の範囲】
【請求項１】
穴また隙間を通して紐、紐状の細い棒または板を引っ張り、洗濯バサミを解放する方法。
【請求項２】
１個以上の洗濯バサミを１個以上の穴また隙間を通して１つ以上の紐、紐状の細い棒または板を引っ張り、洗濯バサミを一括して解放する方法。
【請求項３】
洗濯ばさみを固定したハンガー部本体と穴のあいた構造体をレバーを用いて一括で広げる方法。
【請求項４】
洗濯ばさみを固定したハンガー部本体と穴のあいた構造体を一括して手で直接広げる方法。
【発明の詳細な説明】
【技術分野】
【０００１】
本発明は、乾いた洗濯物を洗濯バサミから外す際、一回の動作で一括して全部の洗濯バサミを解放させて洗濯かご等に落下させる方法に関する。
【背景技術】
【０００２】
家庭の洗濯物で、竿や洋服ハンガーに干せない、靴下、下着等の小物衣類の占める割合は大きく、通常は洗濯バサミ式の物干しハンガーに一枚一枚挟んで干している。乾いた際にも一枚一枚取り外しており、手間と時間を要する。干す際は通常の洗濯バサミと同等の操作性で挟め、乾いた際は一回の動作で一括して全部の洗濯バサミを解放して下のカゴ等に落下させることができれば、手間と時間が抑えられて、家事の軽減に貢献できる。
【０００３】
一括解放の物干しハンガーについては既に多く考案されているが、洗濯物を挟む際、操作性が極めて悪いものが多く、取り外しの際も操作行程が多い、構造が複雑、簡単構造であるが力を必要とする、等多くの解決すべき技術的課題が残されている。また、いずれの装置もハンガー本体を吊下げた状態で操作するのにもかかわらず、力をかける方向が不自然であり、操作性が良いとは言えず、非力な人を含めた万人向きとなっていないのが現状である。
【０００４】
この不自然な操作性を解決する一つの手段として、本体を吊下げ方式から竿固定方式にし、ぶら下がっている洗濯バサミを本体と一体型にする方法があるが、通常のハンガーとかけ離れた装置となり、かえって不便になる。
【先行技術文献】
【特許文献】
【０００５】
【特許文献１】特許公開２０１２−１４３５２９  物干しハンガー
【特許文献２】特許公開２００７−２８２８７５  ワンタッチ取り外し洗濯物干しハンガー
【特許文献３】特許公開２００７−２０３０３１  ワンタッチハンガー
【特許文献４】特許公開２００１−３４７０９８  レバーで外す洗濯物ハンガー
【発明の概要】
【発明が解決しようとする課題】
【０００６】
以上より、今までのハンガーと全く同等の操作性で挟み込め、ハンガー本体が吊り下がった状態で、無理なく１回の操作で一括して全部の洗濯物を外すことが解決すべき課題となる。
【０００７】
したがって本願発明は、一般のハンガー同様、通常の洗濯バサミをぶら下げ、挟む際の操作性を同等とし、一括解放させる際は、本体が釣り下がって状態のまま、左右から均等の力を加え、更にテコの原理を応用して操作力を軽減させることを目的としている。
【課題を解決するための手段】
【０００８】
本発明は、身近にある日常的な用品を使って上記の課題を解決するもので、具体的には以下の内容を含む。
【０００９】
すなわち、本発明にかかる１つの態様は、通常の洗濯バサミの握り側両端に、一体型、別取り付けを問わず、柔軟で滑りの良い紐を取り付け、従来同様のぶら下がり構造とする方法に関する。
【００１０】
本発明はさらに、紐を輪に通し、紐を引くことにより、洗濯バサミの握り側を摘まむ操作ができる方法に関する。紐は紐状や板状のもの、輪は穴やスリット状の隙間をも含む。
【００１１】
本発明はさらに、ハンガー本体に多くの洗濯バサミを紐でぶら下げ、移動格子に多くの穴をあけ、全ての紐をすべての穴に通す方法に関する。
【００１２】
本発明はさらに、レバー等で左右均等に力を加え、テコの原理で操作力を軽くし、移動格子を下に下げる方法に関する。
【００１３】
本発明はさらに、竿、フック等の吊下げ側が充分丈夫な場合は、手で直に移動格子を下げる構造をも包含している。
【発明の効果】
【００１４】
本考案は、洗濯物取り付けの際は従来のぶら下げ式洗濯バサミと全く同等の操作でおこない、取り外しの際は移動格子をレバーを引くか手で押し下げ、洗濯バサミ両端についている紐を引っ張って洗濯バサミを一括解放させることのできる便利性を提供するものとなる。
【図面の簡単な説明】
【００１５】
【図１】本発明の実施の形態に係る、紐を引いて一括して洗濯バサミを開く構造、同方法の概要を示す断面図及び展開図である。
【発明を実施するための形態】
【００１６】
本発明の第１の実施の形態に係る洗濯物を挟んだ後、紐を引いて洗濯バサミを一括解放する方法について、図面を参照して説明する。図１はその概要を示している。
【実施例】
【００１７】
図１のＡとＢは洗濯バサミを一括して解放させる動作原理である。Ａは乾いた洗濯物を挟んだ状態であり、洗濯バサミ４は紐３を移動格子２の穴を通してハンガー本体１に固定されている。Ｂは移動格子２を下げた状態である。洗濯バサミ４は紐３に引かれて開き、洗濯物は一括して落下する。
【００１８】
図１のＣとＤは移動格子２を押し下げる動作原理である。Ｃは乾いた洗濯物を挟んだ状態のレバー５の位置である。Ｄはレバー５を操作して移動格子２を下に押し下げた状態を示す。また直接手で押し下げた状態をも示している。
【産業上の利用可能性】
【００１９】
洗濯バサミ一つ一つに挟んで干されている洗濯物を一回の動作で一括して取り外すことができ、使い勝手および便利性を増すことができる。
【符号の説明】
【００２０】
１．ハンガー本体、２ ．移動格子、３．紐、４．洗濯バサミ、５．レバー
【図１】
2014136069.tif 000003
(57)【要約】【課題】手首部分の側面に孔を設けた事を特徴とする作業用手袋。【解決手段】作業用手袋の手首部分に任意形状の孔を設け、孔に掛け具を挿通できる様にして、作業中に手袋を保管する際に、持ち運びも便利になり、結果的に紛失も防げることができる事を特徴とする作業用手袋。【選択図】図１
2014136855.tif 000002
【特許請求の範囲】
【請求項１】
任意素材の作業用手袋の手首部分の側面に掛け具を挿通すること事のできる任意形状の孔を設けることを特徴とする作業用手袋。
【請求項２】
孔の廻りに前記孔を保持するための補強部材を取り付けたことを特徴とする請求項１の作業用手袋。
【発明の詳細な説明】
【発明の詳細な説明】
【技術分野】
【０００１】本発明は、作業用手袋を掛け具に掛け易くする形状に関するものである。
【背景技術】
【０００２】腕廻りに突起部分を設け、前記突起部分にフック掛け用の穴を設け、フック掛けをして、収納ができる様にすることができる、と言うものはあった。
【特許文献１】特開２００６−２７４５２２
【発明の開示】
【発明の解決しようとする課題】
【０００３】しかしながら、作業用手袋は収納する事ばかりではなく、他作業等に移動する際に、ポケットなどに収納する事が多いので、不便なことが多かった。
【課題を解決する手段】
【０００４】以上の課題を解決するために、任意素材の作業用手袋の（３）手首部分の側面に（４）掛け具を挿通する事のできる（１）任意形状の孔を設けることを特徴とする前記作業用手袋である。又、（１）孔の廻りに（１）前記孔を保持するための（２）補強部材である強化繊維を使用して補強したり、補強樹脂をその部位にはりつける等した作業用手袋。
【発明の効果】
【０００５】作業用手袋の管理・持ち運びも便利になり、結果的に紛失も防ぐことができる。
常に自分で決めた場所に有る為作業がやりやすい。
【図面の簡単な説明】
【０００６】
【図１】本発明の斜視図
【図２】孔、補強部材の説明図
【図３】掛け具の説明図
【発明を実施するための形態】
【０００７】図１は本発明の斜視図でありますが、作業用手袋の手首部分の側面の両面に孔を設けて、その前記孔に掛け具を挿通させて前記掛け具をバンド等に掛けて使用する。
又保管の際には、壁等のフック等にも収納できる。
図２の作業用手袋の周りに設ける孔について説明する。
孔の形状は円形、楕円形、角形でも良い。
孔の設ける場所は手首部分の周りの最適な場所にする。
孔の数は両面、片面、その他手首部分の周りに必要な数を設ける。
孔の保持の為に補強部材で前記孔の廻りを補強する。
前記補強部材は強化繊維を使用しての補強とか、補強部材である補強樹脂をはりつける。
なを、補強部材は前記強化繊維、前記補強樹脂ばかりとは限らない。
図３は孔に掛け具を挿通させて使用する際の図である。
また、掛け具はいろいろな物があり、孔があることにより作業用手袋を便利に利用できる。
【符号の説明】
【０００８】１  孔
２  補強部材
３  手首部分
４  掛け具
【図１】
2014136855.tif 000003
【図２】
2014136855.tif 000004
【図３】
2014136855.tif 000005
(57)【要約】【課題】指室と指室の間が広がったり指室が剥き出しに成らないようにし、従来の５本指の靴下と比べ、足元にスマートな印象を持たせた五つの指室を設けた靴下。【解決手段】靴下の指が納まる部分に５本の指がひと指ずつ入るように上部と下部を４か所縫合し五つの指室を設けた。【選択図】図２
2014136854.tif 000002
【特許請求の範囲】
【請求項１】
靴下の指が納まる部分に足の指５本がひと指ずつ納まるよう上部と下部を縫合し、五つの指室を設けた靴下。
【発明の詳細な説明】
【技術分野】
【０００１】この発明は、足の指五本が、ひと指ずつ１室に納まるよう、５室を設けた靴下に関するものである。
【背景技術】
【０００２】従来の靴下で、指が納まる部分の上下部分を縫合して五つの指室を作り、ひと指ずつ指室に納める靴下は無かった。
【発明の開示】
【発明が解決しようとする課題】
【０００３】従来の５本指靴下は、指が入る筒を五つ作り其処にひと指ずつ入れるものであるが筒と筒の間が広がり、且つ、筒が露出し見栄えが悪かった。
本発明は、以上のような欠点をなくすためになされたものである。
【課題を解決するための手段】
【０００４】靴下の指が納まる部分に、五指がひと指ずつ納まるよう、靴下の上部と下部を４ケ所縫合し、五つの指室を設けた靴下である。
【発明の効果】
【０００５】本発明は、このような構成なので、五本の指がひと指ずつ納まる指室が靴下内に出来、指室が広がらず、指室が剥き出しにならないためスマートな印象になる。
【発明を実施するための最良の形態】
【０００６】以下、本案の形態について説明する。
（イ）靴下の指が納まる部分の上部と下部を指の形に沿って四ケ所を縫合し、ひと指ずつ入る五つの指室を設ける。
（ロ）縫合は、指の先端迄の全部か、先端の手前迄かの二通りとなる。
（ハ）指室となる部分の布地の幅は上部より下部を多くする。
【図面の簡単な説明】
【０００７】
【図１】本発明の斜視図である。
【図２】本発明の指室の拡大図である。
【符号の説明】
【０００８】１  指室
２  上部
３  下部
４  右用靴下
５  左用靴下
６  縫合
【図１】
2014136854.tif 000003
【図２】
2014136854.tif 000004
(57)【要約】      （修正有）【課題】舗装管理としての草刈を省き、アスファルト舗装の寿命を延ばすコンクリート構造物を提供する。【解決手段】コンクリート構造物１の上面３を斜めにして、雨水の滞留を防ぐ事で、植物の種の付着を防ぎ、加えて、アスファルト舗装２の接着面４を斜めにする事により、アスファルトとの接着力を高め水の浸透を防ぎ、アスファルト舗装２とコンクリート構造物１の継ぎ目に、植物が育つ事を防止し、草刈りをする必要を失くし、アスファルト舗装の寿命を長くする。【選択図】図１
2014194141.tif 000002
【特許請求の範囲】
【請求項１】
コンクリート構造物の上面（３）を斜めにした、アスファルト舗装の継ぎ目から植物を生やさない、コンクリート構造物。
【請求項２】
コンクリート構造物の上面（４）を斜めにした、アスファルト舗装の継ぎ目から植物を生やさない、コンクリート構造物。
【発明の詳細な説明】
【技術分野】
【０００１】  この発明は、アスファルト舗装とコンクリート構造物の継ぎ目から、植物を生やさない為のコンクリート構造物の構造に関するものである。
【背景技術】
【０００２】  従来の、コンクリート構造物（１）点線の上面は水平で、上面に雨水が滞留し、アスファルト舗装との、継ぎ目に植物の種が付着しやすく、及び、縦面は垂直に出来ており、アスファルト舗装との継ぎ目に雨水が浸透しやすく、根が伸び植物が育つ。
この事を防ぐ為に、継ぎ目に防草シートを張り付ける工事を施工するが、長期間使用する間に、破れたり、剥がれたりして、そこが新たに種の付着場所となり、植物を防ぐ事が出来ない。
【発明の概要】
【発明が解決しようとする課題】
【０００３】  従来のコンクリート構造物だと、アスファルト舗装との継ぎ目に、植物が育ち、一度根付くと取り除く事は非常に困難で、毎年草刈りをする必要が生じ、アスファルト舗装の寿命が短くなる。
本発明は、以上のような欠点をなくすためになされたものである。
【課題を解決するための手段】
【０００４】  コンクリート構造物（１）の上面（３）を斜めにして、雨水の滞留を防ぐ事で、植物の種の付着を防ぎ、加えて、アスファルト舗装（２）の接着面（４）を斜めにする事により、アスファルトとの接着力を高め水の浸透を防ぎ植物の根張りを妨げる。
【発明の効果】
【０００５】  アスファルト舗装とコンクリート構造物の継ぎ目に、植物が育つ事を防止し、草刈りをする必要を失くし、アスファルト舗装の寿命を長くする。
【図面の簡単な説明】
【０００６】
【図１】  本発明の断面図である。
【発明を実施するための形態】
【０００７】  本発明は道路や駐車場などの、アスファルト舗装の止めに使用する。
【符号の説明】
【０００８】１    コンクリート構造物
２    アスファルト舗装
３    斜めにする部分
４    斜めにする部分
点線  従来のコンクリート構造物
【図１】
2014194141.tif 000003
(57)【要約】【課題】ドアクローザーに鍵を付けることにより、防犯機能を高めたドアクローザーを提供する。【解決の手段】ドアクローザーの棒部に部品（１）、（２）を設置する。部品（１）、（２）が重なる位置に鍵（４）と鍵穴（５）を設け、つまみ（３）を上下させることにより鍵が開閉することを特徴とする。この開閉はリモコン（７）から電波（赤外線等も含む）を発信し、受信機（６）で受信して操作できるようにしても良い。【選択図】図１
2014194140.tif 000002
【特許請求の範囲】
【請求項１】
ドア及びドア枠に取り付けられているドアクローザー自体に鍵をつける。
【発明の詳細な説明】
【技術分野】
【０００１】この発明はドアクローザーに鍵をつけて、防犯機能を持たせる器具に関するものである。
【背景技術】
【０００２】従来ドアの鍵はドアノブおよびその周辺に設置されており、ピッキングやサムターン回しなどの被害に遭いやすかった。
【先行技術文献】
【特許文献】
【０００３】
【発明の概要】
【発明が解決しようとする課題】
【０００４】従来鍵はドアノブ及びその周辺に設置されていて、サムターン回し等で開けられてしまうことがあった。本発明は以上の欠点を改善するためのものである。
【課題を解決するための手段】
【０００５】ドアクローザーの２本の棒部に部品（１）、（２）をそれぞれに設置する。
（１）、（２）が重なる部分に鍵（４）を設け鍵穴（５）に挿しこむ。
つまみ（３）を上下させ開閉する。
この開閉はリモコン（７）から電波（赤外線等も含む）を発信し、受信機（６）で受信して操作できるようにしても良い。
【発明の効果】
【０００６】本発明のドアクローザーを使用することで、従来のドア錠が開けられる欠点を解消し防犯効果が期待できる。
【図面の簡単な説明】
【０００７】
【図１】本発明の斜視図である。
【図２】本発明の鍵部の詳細である。
【発明を実施するための形態】
【０００８】以下、本発明を実施するための形態について説明する。
ドアクローザーの棒部に部品（１）、（２）を設置する。
部品（１）、（２）が重なる位置に鍵（４）と鍵穴（５）を設け、つまみ（３）を上下させることにより鍵が開閉する。
この開閉はリモコン（７）から電波（赤外線等も含む）を発信し、受信機（６）で受信して操作できるようにしても良い。
【符号の説明】
【０００９】（１）ドアクローザー棒部につける部品
（２）ドアクローザー棒部につける部品
（３）つまみ
（４）鍵
（５）鍵穴
（６）受信機
（７）リモコン
【図１】
2014194140.tif 000003
【図２】
2014194140.tif 000004
(57)【要約】【課題】  光源としてＬＥＤを使用する道路灯は、レンズ付ＬＥＤが使用されていたが、道路巾方向に無駄な光を照射したり、十分な照度が得られなかった。【解決手段】  ＬＥＤの両側および上部にレンズを有するレンズ一体型チップ状ＬＥＤを両側にレンズが取り付いている方向に複数個直線上に配置し、この直線上に配置した前記ＬＥＤブロックを複数個並列に配置し、かつ直線上に配置したＬＥＤブロック間にレンズ一体型チップ状ＬＥＤに対して９０°以上の角度を有する光反射板を取り付けるようにした。【選択図】図１
2014194914.tif 000002
【特許請求の範囲】
【請求項１】
ＬＥＤの両側および上部にレンズを有するレンズ一体型チップ状ＬＥＤを複数個、両側にレンズが取り付いている方向に直線上に配置し、この直線上に配置した前記ＬＥＤブロックを複数個並列に配置し、かつ直線上に配置したＬＥＤブロック間にレンズ一体型チップ状ＬＥＤに対して９０°以上の角度を有する光反射板を取り付けてなるＬＥＤ道路灯。
【発明の詳細な説明】
【技術分野】
【０００１】  本発明は、レンズ一体型のチップ状ＬＥＤを使用した高照度のＬＥＤ道路灯に関するものである。
【背景技術】
【０００２】  従来、道路灯の光源として水銀灯や高圧ナトリウム灯が使用されていたが、近年高輝度のＬＥＤが開発され、長寿命、省電力などの利点から水銀灯や高圧ナトリウム灯に代わってＬＥＤが光源として採用されるようになってきた。【０００３】  道路灯として良好な照明は、道路軸方向にできるだけ遠くまで光が届くことで、そのためＬＥＤは、チップ状のＬＥＤの上部および両側面にアクリル樹脂などのレンズを一体加工し、両側面のレンズにより光は両側面方向に幅広く放射されるようにしている。一方、レンズ効果の少ない両側面の光は放射される範囲はそれ程広くはない。【０００４】  このレンズ一体型チップ状ＬＥＤを多数灯具内に取り付け、レンズの取付けている両側面は道路軸方向に、レンズのない両側面は道路巾方向に配置すると道路灯としては理想的な配光が得られる。【０００５】
【発明の開示】
【発明が解決しようとする課題】
【０００６】  しかし、このようなＬＥＤの配置では理想的な配光は得られるが、ＬＥＤの数量を多く使用しなければ高輝度が得られず、また道路巾に対して光が広がりすぎて光の無駄が生じる。
【課題を解決するための手段】
【０００７】  前記問題点を解決するため、本発明はレンズ一体型チップ状ＬＥＤを複数個、側面にレンズが取り付いている方向に直線状に配置し、この直線上に配置したブロックを複数個並列に配置し、かつ直線上に配置したブロック間にレンズ一体型チップ状ＬＥＤに対して９０°以上の角度を有する光反射板を取り付けるようにした。
【発明の効果】
【０００８】  本発明によれば、レンズ一体型チップ状ＬＥＤのレンズを取付けた両側面からの光は道路軸に沿って放射され、道路巾への光は直線上に配置された複数個のレンズ一体型チップ状ＬＥＤのブロック間に９０°以上の角度を持つ光反射板が設けられているため照射角は狭くなり、道路巾方向の無駄な光はなくなる。また、光反射板で照射角を狭くしているためＬＥＤからの光は光反射板で反射光として路面に照射され、ＬＥＤからの直接光に加算され高照度が得られる。【０００９】  以上のように本発明は、レンズ一体型チップ状ＬＥＤと光反射板を組み合わせることにより道路照明として理想的な配光と高照度を得られる道路灯である。
【発明を実施するための最良の形態】
【００１０】  以下、図面に基づき本発明の実施の形態を説明する。【００１１】  図１は、本発明の実施例を示すＬＥＤ道路灯発光部の平面図で、図２は前記発光部の側面図である。【００１２】このＬＥＤ道路灯に使用するＬＥＤは、図３に示すようレンズ一体型チップ状ＬＥＤ１で、ＬＥＤダイス１１の両端に突き出したレンズ１２、１３および上部にレンズ１４を有している。【００１３】  発光部の構成は、図１に示すよう上記レンズ一体型チップ状ＬＥＤ１を複数個一直線上にレンズ部１２，１３が並ぶよう設置し、このブロックを複数個並列に配置し、各ブロック間に光反射板２を設けている。【００１４】  図２は発光部の側面図で、レンズ一体型チップ状ＬＥＤ１が点灯すると、ＬＥＤ１からの光はレンズ１２および１３から幅広く放射され、道路軸に沿って放射される方向に道路灯を設置すれば光が遠くまで届かすことができる。
また、道路巾方向については、レンズ一体型チップ状ＬＥＤ１に対して９０°以上の角度で取付けられている光反射板２の角度調整により光の届く範囲を道路巾に設定できる。同時に光反射板２による反射光がレンズ一体型チップ状ＬＥＤ１からの直接光に加算され高照度になる。
【図面の簡単な説明】
【００１５】
【図１】本発明の実施例を示すＬＥＤ道路灯発光部の平面図。
【図２】本発明の実施例を示すＬＥＤ道路灯発光部の側面図。
【図３】本発明に使用するレンズ一体型チップ状ＬＥＤの断面図。
【符号の説明】
【００１６】１・・・レンズ一体型チップ状ＬＥＤ
１１・・・レンズ一体型チップ状ＬＥＤのＬＥＤダイス
１２，１３，１４・・・レンズ一体型チップ状ＬＥＤのレンズ部
２・・・光反射板
【図１】
2014194914.tif 000003
【図２】
2014194914.tif 000004
【図３】
2014194914.tif 000005
(57)【要約】【課題】コネクタを固定するデータライン固定装置を提供する。【解決手段】本発明に係るデータライン固定装置は、回路基板上のスロットに挿入接続されるコネクタを設置するデータラインを固定し、且つ収容部及び２つのブロック部材を備える。収容部は、回路基板に固定され且つスロットを収容し、ブロック部材は着脱可能に収容部に装着され、各ブロック部材は、コネクタの上方に位置するブロック部を備える。また、各ブロック部からは複数のバーが延伸し、各バーは隣接する２つのコネクタの間に挿入される。収容部は、対向する２つの側壁と対向する２つの端壁とを備え、各ブロック部材は、連接部及び前記連接部の両端から延伸し且つ収容部の側壁にそれぞれ着脱可能に固定される延伸部を備え、ブロック部は、連接部の上端からそれぞれ互いに向けて延伸する。【選択図】図３
2014194934.tif 000002
【特許請求の範囲】
【請求項１】
収容部と、
２つのブロック部材と、
を備え、回路基板上のスロットに挿入接続されるコネクタを設置するデータラインを固定するデータライン固定装置であって、
前記収容部は、前記回路基板に固定され且つ前記スロットを収容し、前記ブロック部材は着脱可能に前記収容部に装着され、前記各ブロック部材は、前記コネクタの上方に位置するブロック部を備えることを特徴とするデータライン固定装置。
【請求項２】
前記各ブロック部からは複数のバーが延伸し、前記各バーは隣接する２つの前記コネクタの間に挿入されることを特徴とする請求項１に記載のデータライン固定装置。
【請求項３】
前記収容部は、対向する２つの側壁と対向する２つの端壁とを備え、前記各ブロック部材は、連接部及び前記連接部の両端から延伸し且つ前記収容部の前記側壁にそれぞれ着脱可能に固定される延伸部を備え、前記ブロック部は、前記連接部の上端からそれぞれ互いに向けて延伸することを特徴とする請求項２に記載のデータライン固定装置。
【請求項４】
前記各延伸部には複数の係合孔が設けられ、前記各側壁には前記係合孔に係合可能な突出部が突設されていることを特徴とする請求項３に記載のデータライン固定装置。
【発明の詳細な説明】
【技術分野】
【０００１】
本発明は、データライン固定装置に関するものである。
【背景技術】
【０００２】
従来の技術において、ＳＡＴＡデータラインのコネクタは、回路基板上に設置されたスロットに挿入接続され、ＳＡＴＡケーブルの他端に設置される他の電子部品を回路基板に接続させる。しかし、コネクタは、回路基板に固定されていないので、振動を受けると回路基板から脱離することがある。この場合、回路基板と電子部品等との間に流れる電気信号が中断されてしまう。
【発明の概要】
【発明が解決しようとする課題】
【０００３】
本発明の目的は、前記問題を解決し、コネクタを固定するデータライン固定装置を提供することである。
【課題を解決するための手段】
【０００４】
上記目的を達成するために、本発明に係るデータライン固定装置は、回路基板上のスロットに挿入接続されるコネクタを設置するデータラインを固定し、且つ収容部及び２つのブロック部材を備える。収容部は、回路基板に固定され且つスロットを収容し、ブロック部材は着脱可能に収容部に装着され、各ブロック部材はコネクタの上方に位置するブロック部を備える。
【発明の効果】
【０００５】
本発明に係るデータライン固定装置は、データラインのコネクタの上方をブロックするブロック部を備えるため、コネクタがスロットから離脱することを防ぐことができる。
【図面の簡単な説明】
【０００６】
【図１】本発明の実施形態に係るデータライン固定装置の分解斜視図である。
【図２】図１に示すデータライン固定装置の組立斜視図である。
【図３】図２に示すデータライン固定装置のＩＩＩ−ＩＩＩ線に沿った断面図である。
【発明を実施するための形態】
【０００７】
図１に示したように、本発明の実施形態に係るデータライン固定装置は、複数のデータライン４０を固定する際に使用される。各データライン４０は、ケーブル４１及びケーブル４１の一端に接続されるコネクタ４２を備える。各コネクタ４２の両側は、階段状を呈しており、また各コネクタ４２の両側の下方には、当止面４２０がそれぞれ形成されている。データライン固定装置はさらに、回路基板１０上に固定された収容部２０と、２つのブロック部材３０と、を備える。
【０００８】
回路基板１０上には、複数のスロット１２が設置されている。
【０００９】
収容部２０は、中空のフレームであり、対向する２つの側壁２２と対向する２つの端壁２３と、を備える。収容部２０は、回路基板１０に固定され且つスロット１２を収容する。各側壁２２の両端には、複数の突出部２４がそれぞれ突設されている。
【００１０】
各ブロック部材３０は、連接部３２と、連接部３２の両端から垂直にそれぞれ延伸する２つの延伸部３４と、連接部３２の上端と延伸部３４の上端とに垂直に連接されたブロック部３５と、を備える。各ブロック部３５の連接部３２と離れる側からは、複数のバー３６が突出している。各延伸部３４には、その延伸方向に対して垂直に一列に配列された係合孔３４０がそれぞれ設けられている。
【００１１】
図２及び図３を参照すると、データライン固定装置を使用する際、コネクタ４２を対応するスロット１２に挿入して接続させた後、ブロック部材３０のバー３６が互いに向けて延伸するように、ブロック部材３０を対向させて収容部２０に装着する。この際、連接部３２は、端壁２３にそれぞれ当接し、突出部２４は、延伸部３４の係合孔３４０にそれぞれ係合され、ケーブル４１は、ブロック部３５の間から延出する。ブロック部３５は、対応する当止面４２０の上方に位置し、各バー３６は、隣接する２つのコネクタ４２の間に形成する間隙に係合され、コネクタ４２がスロット１２から離脱するのを防ぐ。
【００１２】
他の実施形態において、各コネクタ４２の両端は、階段状を呈さなくても良い。この時、ブロック部材３０のバー３６は省略され、ブロック部３５がコネクタ４２の上面をブロックする。
【符号の説明】
【００１３】
１０  回路基板
１２  スロット
２０  収容部
２２  側壁
２３  端壁
２４  突出部
３０  ブロック部材
３２  連接部
３４  延伸部
３４０  係合孔
３５  ブロック部
３６  バー
４０  データライン
４１  ケーブル
４２  コネクタ
４２０  当止面
【図１】
2014194934.tif 000003
【図２】
2014194934.tif 000004
【図３】
2014194934.tif 000005